(57)【要約】【課題】カードの外部接続部および端子部材のセルフクリーニング効果を得られ、かつ、使用中のカードの抜取りを防止できるカードアダプタの提供。【解決手段】カバー４０を所定角度回動することで、端子部材５２よりも高い位置に挿入口３を形成し、この挿入口３に挿入されるカード６０を、ガイド面３２ａ，３３ａと、カバー４０の板部４１の下面４１ａ（ガイド面）とによって、装着部３の底面、すなわち、底板部材３４に対して斜めにし、カード６０の外部接続ぶを端子部材５２に摺動させつつ、装着部２へ案内する。【選択図】図６
2006252187.tif 000002
【特許請求の範囲】
【請求項１】
外部接続部を有したカードが装着される装着部と、前記装着部に前記カードが装着された状態において前記外部接続部に接触する端子部材とを備えるカードアダプタであって、
前記カードを前記装着部へ斜めに案内する案内手段を設け、前記カードの装着部への装着時に、前記外部接続部を前記端子部材に摺動させることを特徴とするカードアダプタ。
【請求項２】
前記装着部に前記カードが装着された状態において、前記カードに形成された凹部に嵌合する凸部を有することを特徴とする請求項１記載のカードアダプタ。
【請求項３】
前記凸部が前記案内手段を兼用することを特徴とする請求項２記載のカードアダプタ。
【請求項４】
前記凸部には前記カードの挿入口側から上方に向けて斜めに延びる第１ガイド面が形成されており、前記カードの挿入時に前記カードの前端部が一旦上方へ持ち上げられた後、前記カードは前記装着部へ斜めに案内されることを特徴とする請求項３記載のカードアダプタ。
【請求項５】
前記装着部を上方から覆い、回動による開閉が可能なカバーを備え、
前記カバーを開く方向へ所定角度回動させたときに、このカバーと前記凸部の間に前記挿入口が形成され、かつ、前記カバーの下面が第２ガイド面となることを特徴する請求項４記載のカードアダプタ。
【請求項６】
前記カバーの下面が前記第２ガイド面となった状態において、前記カバーの開く方向への回動を規制する規制手段を備えることを特徴とする請求項５記載のカードアダプタ。
【発明の詳細な説明】
【技術分野】
【０００１】
本発明は、所定のカードが装着されるカードコネクタに、所定のカードよりも小型のカードを装着する際に用いられ、小型のカードを装着した状態でカードコネクタに装着されるカードアダプタに関する。
【背景技術】
【０００２】
カードアダプタには、特許文献１に示される従来技術がある。この従来技術は、外部接続部を有したカードが装着される装着部、および、この装着部へのカードの挿入口が設けられるケースと、このケース内に設けられ、カードがケースに装着された状態においてカードの外部接続部に接触する端子部材とを備えている。
【０００３】
挿入口は、ケースの後端面に形成されている。このため、前記従来技術では、カードコネクタに装着された状態において、挿入口がカードコネクタから露出する。
【０００４】
ケースの内面は、挿入口に挿入されたカードを、このカードの外部接続部を端子部材に摺動させつつ、装着部へ案内するようになっている。ケースに対する挿入から装着までのカードの軌道は、装着部の底面に対して平行な直線状である。
【特許文献１】２０００−４０１３１公報
【発明の開示】
【発明が解決しようとする課題】
【０００５】
前述の従来技術は、カード挿入時に、カードの外部接続部を端子部材に摺動させるので、外部接続部や端子部材に付着した汚れを除去できる、つまり、外部接続部および端子部材のセルフクリーニング効果を得られる。しかし、ケースに形成された挿入口がカードコネクタから露出するとともに、ケースに対する挿入から装着までのカードの軌道が装着部の底面に平行な直線状なので、カードの使用中において、すなわち、カードがカードアダプタを介してカードコネクタに接続された状態において、ケースを残したままカードを抜き取ることができるという問題がある。
【０００６】
本発明は、前述の実状を考慮したなされたものであり、その目的は、カードの外部接続部および端子部材のセルフクリーニング効果を得られ、かつ、使用中のカードの抜取りを防止できるカードアダプタを提供することにある。
【課題を解決するための手段】
【０００７】
〔１〕  本発明は、前述の目的を達成するために、外部接続部を有したカードが装着される装着部と、前記装着部に前記カードが装着された状態において前記外部接続部に接触する端子部材とを備えるカードアダプタであって、前記カードを前記装着部へ斜めに案内する案内手段を設け、前記カードの装着部への装着時に、前記外部接続部を前記端子部材に摺動させることを特徴とする。
【０００８】
このように構成した本発明では、案内手段は、カードの外部接続部を端子部材に摺動させつつ、カードを装着部へ案内する。これにより、カードの外部接続部および端子部材のセルフクリーニング効果を得られる。また、案内手段は、カードを装着部へ斜めに案内するので、使用中のカードの抜取りを防止できる。
【０００９】
〔２〕  本発明は、〔１〕記載の発明において、前記装着部に前記カードが装着された状態において、前記カードに形成された凹部に嵌合する凸部を有することを特徴とする。
【００１０】
このように構成した本発明では、装着部にカードが装着された状態において、カードの移動を凸部により規制できるので、使用中のカードの抜取りを確実に防止できる。
【００１１】
〔３〕  本発明は、〔２〕記載の発明において、前記凸部が前記案内手段を兼用することを特徴とする。
【００１２】
また、凸部とは別に案内手段を設けずに済み、構成の複雑化を回避できる。
【００１３】
〔４〕  本発明は、〔３〕記載の発明において、前記凸部には前記カードの挿入口側から上方に向けて斜めに延びる第１ガイド面が形成されており、前記カードの挿入時に前記カードの前端部が一旦上方へ持ち上げられた後、前記カードは前記装着部へ斜めに案内されることを特徴とする。
【００１４】
このように構成した本発明は、カードの前端部が端子部材の先端に当接することを阻止でき、端子部材の座屈を防止できる。
【００１５】
〔５〕  本発明は、〔４〕記載の発明において、前記装着部を上方から覆い、開閉可能なカバーを回動による開閉が可能なカバーを備え、前記カバーを開く方向へ所定角度回動させたときに、このカバーと前記凸部の間に前記挿入口が形成され、かつ、前記カバーの下面が第２ガイド面となることを特徴する。
【００１６】
このように構成した本発明では、カバーを閉じた状態において、カバーによりカードの外部接続部を端子部材に押し付けることができるので、外部接側部と端子部材の電気的な接続状態を安定させることができる。
【００１７】
また、カバーの下面が第２ガイド面となるので、回動による開閉が可能なカバーを備えるケースに、カバーとは別に第２ガイド面を設けずに済み、構成の複雑化を回避できる。
【００１８】
〔６〕  本発明は、〔５〕記載の発明において、前記カバーの下面が前記第２ガイド面となった状態において、前記カバーの開く方向への回動を規制する規制手段を備えることを特徴とする。
【００１９】
このように構成した本発明では、規制手段が、カバーの開く方向への回動範囲を、カバーの下面が第２ガイド面となる所定の回動角度までに規制する。これにより、カバーの下面が第２ガイド面になった状態におけるカードの回動角度の保持を行いやすくすることができる。また、カバーが大きく開いて端子部材が露出してしまうことを防止でき、端子部材の保護を図ることができる。
【発明の効果】
【００２０】
本発明は、案内手段によって、カードの外部接続部を端子部材に摺動させつつ、カードを装着部へ案内するので、カードの外部接続部および端子部材のセルフクリーニング効果を得られる。また、カードを装着部へ斜めに案内するので、使用中のカードの抜取りを防止できる。
【発明を実施するための最良の形態】
【００２１】
本発明のカードアダプタの一実施形態について図を用いて説明する。
【００２２】
図１は、本実施形態を斜め上方から見た状態を示す斜視図、図２は、図１に示す実施形態の分解斜視図、図３は、図１に示す実施形態からカバーを取除いた状態を示す斜視図、図４は、図２に示す上ケース部材を斜め下方から見た状態を示す斜視図、図５は、図２に示すカバーを斜め下方から見た状態を示す斜視図、図６は、カードの前端部が挿入口に挿入された状態を示す断面図、図７は、カードの前端部が端子部材近傍まで挿入された状態を示す断面図、図８は、図７に示すカードの前端部の近傍の拡大図、図９は、本実施形態に装着されたカードをカバーを取除いて見た状態を示す平面図、図１０は、図１に示す実施形態に装着されるカードを示し、（ａ）はカードの平面図、（ｂ）は（ａ）の左側面図である。
【００２３】
本実施形態には、図１０に示すカード６０が装着される。このカード６０の両側部のそれぞれには、凹部６１，６２が形成されている。また、カード６０の下面６０ａには、図示しないが、複数の外部接続部が設けられている。
【００２４】
本実施形態は、図１に示すように、所定のカードコネクタに対応するカード形の外形に形成されたケース１を備えている。このケース１は、図２に示すように、上ケース部材１０と下ケース部材２０が結合されてなる。上ケース部材１０と下ケース部材２０の間には、カード６０が装着される装着部２を設けてあるとともに、装着部２にカード６０が装着された状態においてカード６０の各外部接続部と接触する複数の端子部材５２を含む端子板５０を配置してある。また、下ケース部材１０には、カバー４０を回動可能に設けてある。上ケース部材１０には、カバー４０を配置する開口部１１を設けてある。
【００２５】
下ケース部材２０は、樹脂製の枠体２１を備えている。この枠体２１は、装着部２の左右の内側面を形成する側壁部２２，２３と、端子板５０が配置される枠部２４と、この枠部２４の底面に設けられ、各端子部材５２の前端側をケース１の外部に露出させる複数の長孔２５とを有している。
【００２６】
枠体２１の側壁部２２，２３には、カード６０が装着部２に装着された状態において、カード６０の凹部６１，６２のそれぞれと嵌合する嵌合凸部３２，３３を設けてある（図９参照）。
【００２７】
また、下ケース部材２０は、インサート成形により枠体２１と一体化された金属製の底板部材３４を備えている。この底板部材３４は、装着部２の底面を形成している。
【００２８】
端子板５０は、樹脂板部５１と複数の端子部材５２とをインサート成形により一体化してなる。樹脂板部５１の下面には、各端子部材５２を露出させてある。また、端子部材５２は、図３に示すように、枠体２１の枠部２４側から装着部２内に延びる片持ちばね部５２ａと、この片持ちばね部５２ａの自由端に曲げ形成され、装着部２にカード６０が装着された状態においてカード６０の外部接続部に接触する接触部５２ｂとを有している。
【００２９】
カバー４０は、図２，５に示すように、装着部２を上方から覆う板部４１と、この板部４１の両側部に曲げ形成されるリブ４２，４３と、リブ４２の前端、および、リブ４３の前端のそれぞれに延設される延設部４４，４５のそれぞれに設けられる軸孔４４ａ，４５ａとを備えている。また、図２に示すように、下ケース部材２０の枠体２１の側壁部２２には、軸孔４４ａに挿入される軸２６を設けてあり、側壁部２３には、軸孔４５ａに挿入される軸２７を設けてある。また、同図２に示すように、上ケース部材１０には、カバー４０の延設部４４，４５のそれぞれの回動を許容する溝１２，１３を設けてある。
【００３０】
また、カバー４０は、図２，５に示すように、板部４１の両側部のそれぞれに曲げ形成されて設けられる一対の着脱部４６，４７を備えている。着脱部４６は、凹部４６ａと傾斜部４６ｂとを有している。同様に、着脱部４７も、凹部４７ａと傾斜部４７ｂとを有している。また、図２に示すように、下ケース部材２０の枠体２１の側壁部２２には、凹部４６ａが着脱可能に嵌合する爪２８を設けてあり、側壁部２３には、凹部４７ａが着脱可能に嵌合する爪２９を設けてある。つまり、着脱部４６，４７と爪２８，２９とから、カバー４０を閉じた状態に保持する保持手段を構成してある。また、同図２に示すように、上ケース部材１０には、カバー４０の回動に伴う着脱部４６，４７のそれぞれの移動を許容する切欠き１４，１５を設けてある。
【００３１】
また、カバー４０は、図２，５に示すように、着脱部４６，４７の傾斜部４６ｂ，４７ｂのそれぞれの下端から互いに離れる方向へ延びる舌状部４８，４９を備えている。また、図４に示すように、上ケース部材１０には、カバー４０の開く方向への回動に伴う舌状部４８，４９のそれぞれの上方向への移動を規制する規制凹部１７，１６を設けてある。つまり、カバー４０の開く方向への回動範囲を規制する規制手段を、舌状部４８，４９と規制凹部１７，１６とから構成してある。また、図２に示すように、下ケース部材２０には、着脱部４６と舌状部４８、および、着脱部４７と舌状部４９のそれぞれが挿入される挿入孔３０，３１を設けてある。
【００３２】
また、下ケース部材１０の嵌合凸部３２の上面には、装着部２の奥側へ向かって斜め上方に延びるガイド面３２ａを設けてある。同様に、嵌合凸部３３の上面にも、ガイド面３３ａを設けてある。
【００３３】
このように構成した本実施形態は、次のように動作する。
【００３４】
カバー４０に開く方向の力が付与されると、爪１４，１５のそれぞれから与えられる反力により、一対の着脱部４６，４７のそれぞれが互いに離れる方向へ撓み、凹部４６ａ，４７ｂのそれぞれが爪１４，１５のそれぞれから外れて、カバー４０が開く方向へ回動する。
【００３５】
カバー４０の開く方向への回動角度が所定の角度に達すると、舌状部４８，４９のそれぞれが、上カバー部材１０に設けられた規制凹部１６，１７のそれぞれに当接して、カバー４０の開く方向への回動が阻止される。
【００３６】
これにより、図６に示すように、カバー４０の板部４１と嵌合凸部３２，３３との間に、すなわち、端子部材５２よりも高い位置に、挿入口３が形成される。また、カバー４０の板部４１の下面４１ａが、挿入口３の上縁部から端子部材５２の上方まで斜め下方に延びるガイド面となる。
【００３７】
挿入口３にカード６０が挿入されると、嵌合凸部３２，３３のそれぞれのガイド面３２ａ，３３ａと、カバー４０の板部４１の下面４１ａとが、カード６０の挿入を案内する案内手段として機能する。すなわち、カード６０の前端部は、嵌合凸部３２，３３のそれぞれのガイド面３２ａ，３３ａに案内されて、斜め上方向へ移動し、ガイド面３２ａ，３３ａを通過した後に、傾斜した板部４１の下面４１ａ（ガイド面）に当接する。その後、カード６０は、嵌合凸部３２，３３と、板部４１の下面４１ａとによって、図７に示すように装着部２の底面、すなわち、底板部材３４に対して斜めに案内されて、外部接続部を端子部材５２の接触部５２ｂに摺動させ、片持ちばね部５２ａを下方向に撓ませながら、挿入されていく。
【００３８】
挿入中のカード６０の姿勢は、ガイド面３２ａ，３３ａからカード６０に与えられる上方向の反力と、板部４１の下面４１ａ（ガイド面）からカード６０に与えられる下方向の反力とによって、端子部材５２に座屈等の損傷を与えずに外部接続部が端子部材５２の接触部５２ｂに摺動する姿勢に保持されている。つまり、図８に示すように、端子部材５２の延長線上にカード６０の前端部が位置し、カード６０の前端部の高さ位置が端子部材５２よりも低くならない姿勢に保持されている。
【００３９】
そして、カード６０の凹部６１，６２がそれぞれ嵌合凸部３２，３３の位置に達すると、図９に示すように、凹部６１，６２のそれぞれと嵌合凸部３２，３３のそれぞれとが嵌合する。これに伴い、カード６０は、底板部材３４に載置された状態、すなわち、端子部材５２によりカード６０の前端部が若干浮いてはいるものの、ほぼ底板部材３４に平行な姿勢になる。
【００４０】
この状態で、カバー４０が閉じる方向へ回動されると、着脱部４６の傾斜部４６ｂおよび着脱部４７の傾斜部４７ｂのそれぞれは、爪２８，２９のそれぞれに当接する。これに伴い、爪２８，２９のそれぞれから傾斜部４６ｂ，４７ｂのそれぞれに反力が与えられ、着脱部４６，４７が互いに離れる方向へ撓み、着脱部４６の凹部４６ａが爪２８に嵌合し、着脱部４７の凹部４７ａが爪２９に嵌合する。これにより、カバー４０が閉じた状態に保持され、このカバー４０によってカード６０が装着部２の底面に押し付けられて、すなわち、カード６０の各外部接続部が各端子部材５２に押し付けられて、カード６０の装着部２への装着が完了する。
【００４１】
本実施形態によれば次の効果を得られる。
【００４２】
本実施形態は、案内手段によって、すなわち、ガイド面３２ａ，３３ａと、カバー４０の板部４１の下面４１ａとによって、カード６０の外部接続部を端子部材５２に摺動させつつ、カード６０を装着部へ案内する。これにより、カード６０の外部接続部および端子部材５２のセルフクリーニング効果を得られる。
【００４３】
また、端子部材５２よりも高い位置にある挿入口３に挿入されるカード６０を、ガイド面３２ａ，３３ａと、カバー４０の板部４１の下面４１ａとによって、装着部３の底面、すなわち底板部材３４に対して斜めにして、装着部３へ案内する。そして、装着部３に装着されたカード６０は、装着部２の底面とほぼ平行な姿勢になる。つまり、カード６０をケース１から抜き取るためには、装着部３に装着されたカード６０を、装着部２の底面に対してほぼ平行な姿勢から斜めな姿勢に変化させる必要がある。これにより、使用中のカード６０の抜取りを防止できる。
【００４４】
また、本実施形態は、ケース１が、嵌合凸部３２，３３により、装着部３に装着された状態におけるカード６０の移動を規制するので、使用中のカード６０の抜取りを確実に防止できる。
【００４５】
また、本実施形態では、カード６０の挿入時に嵌合凸部３２，３３のガイド面３２ａ、３３ａによってカード６０の前端部を一旦上方へ持ち上げることにより、カード６０の前端部が端子部材５２の先端に当接することを阻止でき、端子部材５２の座屈を防止できる。
【００４６】
また、ガイド面３２ａ，３３ａは、嵌合凸部３２，３３の上面に形成してあるので、嵌合凸部３２，３３とは別にガイド面を設けずに済み、構成の複雑化を回避できる。
【００４７】
また、本実施形態では、回動による開閉が可能なカバー４０を設け、カバー４０を開く方向へ所定角度回動させたときに、このカバー４０と嵌合凸部３２，３３の間に挿入口３が形成される。これにより、挿入口３を端子部材５２よりも高い位置に設けることに伴うケース１の厚さ寸法の増加を回避できる。
【００４８】
また、本実施形態は、規制手段によって、すなわち、舌状部４８，４９と規制凹部１６，１７とによって、カバー４０の開く方向への回動範囲を、カバー４０の板部４１の下面４１ａがガイド面となる所定の回動角度までに規制する。これにより、カバー４０の板部４１の下面４１ａがガイド面になった状態におけるカード４０の回動角度の保持を行いやすくすることができる。これにより、カバー４０が大きく開いて端子部材５２が露出してしまうことを防止でき、端子部材５２の保護を図ることができる。
【００４９】
また、本実施形態は、カバー４０を閉じた状態において、カバー４０によりカード６０の外部接続部を端子部材５２に押し付ける。これにより、外部接側部と端子部材５２の電気的な接続状態を安定させることができる。
【００５０】
また、カバー４０の板部４１の下面４１ａがガイド面となるので、回動による開閉が可能なカバー４０を備えるケース１に、カバー４０と別にガイド面を設けずに済み、構成の複雑化を回避できる。
【００５１】
なお、本実施形態は、回動による開閉可能なカバー４０を備え、カバー４０が開くことにより端子部材５２よりも高い位置に挿入口３が形成される例であったが、本発明はこれに限るものではなく、カバー４０を所定の角度開いた状態に固定して、常に開口した挿入口３を設けてもよい。
【００５２】
また、本実施形態は、カバー４０の開く方向への回動範囲を所定の回動角度までに規制する規制手段として、舌状部４８，４９と規制凹部１６，１７とを備えた例である。この規制手段は、上ケース部材１０の下面側においてカバー４０の回動を規制するようにした例であるが、本発明はこれに限るものではなく、上ケース部材１０の上面に鉤状の突出部等を設けて、上ケース部材１０の上面側においてカバー４０の開く方向への回動を規制してもよい。
【図面の簡単な説明】
【００５３】
【図１】本発明のカードアダプタの一実施形態を斜め上方から見た状態を示す斜視図である。
【図２】図１に示す実施形態の分解斜視図である。
【図３】図１に示す実施形態からカバーを取除いた状態を示す斜視図である。
【図４】図２に示す上ケース部材を斜め下方から見た状態を示す斜視図である。
【図５】図２に示すカバーを斜め下方から見た状態を示す斜視図である。
【図６】カードの前端部が挿入口に挿入された状態を示す断面図である。
【図７】カードの前端部が端子部材近傍まで挿入された状態を示す断面図である。
【図８】図７に示すカードの前端部の近傍の拡大図である。
【図９】本実施形態に装着されたカードをカバーを取除いて見た状態を示す平面図である。
【図１０】図１に示す実施形態に装着されるカードを示し、（ａ）はカードの平面図、（ｂ）は（ａ）の左側面図である。
【符号の説明】
【００５４】
１              ケース
２              装着部
３              挿入口
１０            上ケース部材
１１            開口部
１２，１３      溝
１４，１５      切欠き
１６，１７      規制凹部（規制手段）
２０            下ケース部材
２１            枠体
２２，２３      側壁部
２４            枠部
２５            長孔
２６，２７      軸
２８，２９      爪
３０，３１      挿入部
３２，３３      嵌合凸部
３２ａ，３３ａ  ガイド面（第１ガイド面）〔案内手段〕
３４            底板部材
４０            カバー
４１            板部
４１ａ          下面（第２ガイド面）〔案内手段〕
４２，４３      リブ
４４，４５      軸孔
４６，４７      着脱部
４６ａ，４７ａ  凹部
４６ｂ，４７ｂ  傾斜部
４８，４９      舌状部（規制手段）
５０            端子板
５１            樹脂板部
５２            端子部材
５２ａ          片持ちばね部
５２ｂ          接触部
６０            カード
６０ａ          下面
６１，６２      凹部
【図１】
2006252187.tif 000003
【図２】
2006252187.tif 000004
【図３】
2006252187.tif 000005
【図４】
2006252187.tif 000006
【図５】
2006252187.tif 000007
【図６】
2006252187.tif 000008
【図７】
2006252187.tif 000009
【図８】
2006252187.tif 000010
【図９】
2006252187.tif 000011
【図１０】
2006252187.tif 000012